(57)【要約】【課題】従来、プレゼンテーション用コンテンツの作成は、それを効果的にするために画像とテキスト情報を複合して作成されているが、作成時間に多大の時間と手間を要し、又その変更作業も大変である問題があった。特に低学年層、高齢者層、コンテンツ作成に時間のない層に問題であった。これはその作成作業をデジタル技術により、外部ソフトウェアを付加することにより大幅に短縮し、変更も容易にできるようにするためである。【解決手段】コンテンツのデータベースとなるものは最も単純に作成利用できる単一コンテンツのファイルを使用し、これに合い番号を付けてコンピュータにより関連あるファイルが容易に同期化できるようにし、更にこれ等のコンテンツ表示が同一画面内で自由な大きさ、画面サイズを選べて表示できるようにして、課題を解決することができる。【選択図】図１
2005108163.tif 000002
【特許請求の範囲】
【請求項１】
カメラで撮影された画像情報コンテンツ、コンピュータで作成されたテキスト情報コンテンツ、既にコンピュータのサーバー内に存在する情報コンテンツなどの単一情報コンテンツを利用して、これ等３つの異なった情報コンテンツを相互に関連付けて同一画面内に配置して複合化した情報コンテンツを作成する場合、その情報コンテンツのファイル番号を付けるだけで複合化した情報コンテンツが作成出来、更にこれ等を一つの表示装置を使用してプレゼンテーションを行う場合、プレゼンテーションの順序表示をワンタッチ操作で行えると共に、これ等異なった情報コンテンツのその表示装置上に表示される場所、個々の表示サイズを自由に設定できる事を特徴としたデジタルファイルシステム
【請求項２】
前記デジタルファイルシステムを利用して情報コンテンツを一つの表示装置に表示するだけでなく、情報コンテンツ毎に別々の表示装置に出力できることを特徴としたプレゼンテーションシステム
【発明の詳細な説明】
【技術分野】
【０００１】  本発明はコンピュータ（以下ＰＣと略）を使用してプレゼンテーション用の情報コンテンツ（以下コンテンツという）を作成する場合、そのファイル作成作業を容易に行い、且つプレゼンテーションを効果的に行うものに関するものである。
【背景技術】
【０００２】  従来この分野ではプレゼンテーションを行う場合、予め事前に一連のパッケイジ化されたコンテンツをＰＣで作成準備し（代表的なものとしてアメリカマイクロソフト社のソフトウェア商品“パワーポイント”がある、以下これをＰＷＰと略）、それをプレゼンテーションを行う現場で、ＰＣと大型プロジェクタなどの表示装置を接続して行っている。この場合、関連するコンテンツを同時に表示してプレゼンテーションを行う場合、そのコンテンツ毎にＰＣと表示装置を設置して、その各々のＰＣを対応させて複数のオペレータがＰＣの操作を行いプレゼンテーションを行う方法が一般的である。【０００３】  複合化されたコンテンツを一つの表示装置だけを使用してプレゼンテーションを行う場合、ＰＷＰなどを使用して時間をかけて複合コンテンツを作成しているのが一般的に行われている方法であるが、その場合コンテンツの複合化などの作業に多大の時間を要する等面倒な点が多い。【０００４】  近年、デジタルカメラが普及し、その利用が簡単になったこともあり、プレゼンテーション用のコンテンツ作成の素材としてデジタルカメラ画像が利用される場合が多くなっている。デジタルカメラで撮影した画像を撮影し、ＰＣにそのまま単一情報として保存することは容易であるが、このままプレゼンテーション用のコンテンツとして利用するためには、他のテキスト情報などの関連情報と複合化することが求められている。しかしＰＣに不慣れな低学年層、高齢層の人には、これ等ＰＣを利用しての情報複合化作業はは容易でなく、簡単操作でこれ等複合化作業・操作が行えることが求められている。
【発明の開示】
【発明が解決しょうとしている課題】
【０００５】  本発明は上記した実情に鑑みてなされたものであって、簡単に入力できる単一なコンテンを素材として利用し、これ等単一コンテンツファイルをデジタル技術により簡単に同期化できるようにし、更に各表示されるコンテンツの画面の位置、表示サイズも簡単に変更できるようにして、複数個の異なった種類のコンテンツをプレゼンテーションを行う同一画面上に簡単に複合化して見せることを可能にするシステムを提供するものである。
【課題を解決するための手段】
【０００６】  本発明は上記目的を達成するためにプレゼンテーション用のコンテンツの素材はＰＷＰなどを使用して入力素材を加工しないそのままの単一コンテンツを利用し、ＰＣに付加されたソフトウェアにより、恰も複合化されたコンテンツが簡単操作で表示装置に表示されることを実現できるものである。
【０００７】  第一の解決手段は、プレゼンテーション用に準備された単一コンテンツに番号を付け、これ等の内相互に関連するコンテンツの番号を同一番号に指定するだけで、自動的に一つの複合化コンテンツが出来るようにすることである。この複合化されたコンテンツは表示順序が付けられ、プレゼンテーションを行うことができる手段を提供する。
【０００８】  第二の解決手段はプレゼンテーションを効果的に行う為、一つの表示装置内に分割して表示される各々のコンテンツについて、その位置、その表示サイズがワンタッチで予め設定できる手段を提供するものである。
【発明の効果】
【０００９】  この発明は、プレゼンテーションを行う人がそのコンテンツ作成を多大の時間と手間を必要とせずに準備でき、プレゼンテーションはこれを見る人に大変分り易い効果を与えることができる。又、ＰＣと表示装置を使用して多くの既存情報とデジタルカメラで撮影した画像情報を同時表示し、その解説としてのテキスト情報も同一画面に容易に同時表示することが出来、プレゼンテーションを見る人に大きなインパクトを与えることができるものである。
【発明を実施するための最良の形態】
【００１０】  以下、本発明の実施の形態を図１−４に基づいて説明する。【００１１】  図１は本発明に係わる  デジタルファイルシステムを利用したプレゼンテーションシステムの実施例を示すブロック構成図である。この実施例に係わるプレゼンテーションシステムは、ＰＣ１と表示装置２から成る。表示装置２はその画面上に３つの異なったコンテンツ３、４、５が表示されている。【００１２】  コンテンツ３はプレゼンテーションを行う為の関連するＰＣ１内のメモリにある既存のコンテンツの表示、コンテンツ４はデジタルカメラ、スキャナーなどでＰＣ１に新たにメモリされた画像コンテンツの表示、コンテンツ５はこれ等コンテンツの解説・説明をＰＣ１で作成した単一で簡単なテキスト情報コンテンツの表示を示す。これ等のコンテンツのＰＣ１内でのメモリされたファイルはプレゼンテーションの目的に対応して表示する順番が決められその番号が設定される。この番号を同時表示するコンテンツで合せて設定すれば、ＰＣ１内でこの設定ソフトウェアにより自動的に順番が設定でき、又同一画面内の各コンテンツの相互位置とコンテンツ表示のサイズも予め設定できるものとする。【００１３】  図２はＰＣ１で作成されるプレゼンテーションのコンテンツ作成の例を示す。６，７，８，９，１０は、コンテンツ３用のファイルとしてデジタルカメラで撮影された情報としてのＰＣ１内にメモリされた単一画像コンテンツを示す。１１、１２，１３、１４、１５は、コンテンツ４用のファイルとして作成されたＰＣ１内にメモリされた別の単一コンテンツを示す。１６、１７，１８、１９、２０は既にＰＣ１内にある別の単一画像情報コンテンツを示す。これ等３種類のコンテンツは６，１１、１６が同期して、次に８，１２、１７が同期して、次に９、１３、１８が同期して、次に９，１４、１９が同期して、次に１０、１４、２０が同期して順次表示装置２に表示され、これ等３種類のコンテンツはこれが恰も始めから複合コンテンツとして作成された用にプレゼンテーションを行うことができる。【００１４】  図３はＰＣ１のキーボードを利用して用意されたプレゼンテーション用のコンテンツ操作命令を示す。これ等の操作指令はソフトウェア５により、ＰＣ１内部で命令語となり、コンテンツ３、４，５のファイルに指令される。これ等は全てＰＣ１上のキーボードをワンタッチで行う事で実行される。【００１５】  図４は更に３個の別々の独立した表示装置にコンテンツ３，４，５を別々に表示する場合を示す。この場合、コンテンツのサイズはその独立した表示装置に全画面表示される。操作は全てＰＣ１から行われる。
【産業上の利用の可能性】
【００１６】  高度情報化時代を迎え、大型表示装置の高性能化、価格の低減などの背景から、産業の各分野でＰＣと大型表示装置を利用したプレゼンテーションが益々盛んになっている。産業分野では多すぎる程の既存情報を持ち、又携帯電話などによるデジタルカメラの一層の普及で新しい画像情報は簡単に入手できる時代となっている。産業分野では如何に効率よくプレゼンテーションを行うか、又その資料を如何に早く簡単に準備できるか大きな焦点であり、本発明の利用により、プレゼンテーション資料作成の時間を大幅に削減出来ると共に、見る人に分り易いプレゼンテーションを提供することができるので、利用の可能性は大変高いと思われる。
【図面の簡単な説明】
【００１７】
【図１】  本発明に係わるプレゼンテーション用のデジタルファイルシステムの実施形態を示すブロック構成図を示す。
【図２】  本発明に係わるプレゼンテーション用のデジタルファイルとしてＰＣにメモリされるコンテンツの例を示す。
【図３】  本発明に係わるプレゼンテーションを行う場合のＰＣ上のコンテンツ操作指令命令の例を示す。
【図４】  本発明に係わるプレゼンテーションを３つの独立した表示装置を用いて行う場合のシステム構成図を示す。
【符号の説明】
【００１８】１．  プレゼンテーションに使用されるデジタルファイルを作成し、操作指令を出すＰＣ
２．  デジタルファイル用ＰＣから出力されてプレゼンテーションに使用される表示装置
３．  プレゼンテーションに使用される単一情報コンテンツ用のファイル（画像用）
４．  プレゼンテーションに使用される単一情報コンテンツ用のファイル（テキスト用）
５．  プレゼンテーションに使用される単一情報コンテンツ用のファイル（既存画像用）
６．  ファイル３内のコンテンツ（１番目）
７．  ファイル３内のコンテンツ（２番目）
８．  ファイル３内のコンテンツ（３番目）
９．  ファイル３内のコンテンツ（４番目）
１０．ファイル３内のコンテンツ（５番目）
１１．ファイル４内のコンテンツ（１番目）
１２．ファイル４内のコンテンツ（２番目）
１３．ファイル４内のコンテンツ（３番目）
１４．ファイル４内のコンテンツ（４番目）
１５．ファイル４内のコンテンツ（５番目）
１６．ファイル５内のコンテンツ（１番目）
１７．ファイル５内のコンテンツ（２番目）
１８．ファイル５内のコンテンツ（３番目）
１９．ファイル５内のコンテンツ（４番目）
２０．ファイル５内のコンテンツ（５番目）
２１．ＰＣ１上の操作命令（コンテンツ３一つ後進）
２２．ＰＣ１上の操作命令（コンテンツ３一つ前進）
２３．ＰＣ１上の操作命令（コンテンツ４一つ後進）
２４．ＰＣ１上の操作命令（コンテンツ４一つ前進）
２５．ＰＣ１上の操作命令（コンテンツ５一つ後進）
２６．ＰＣ１上の操作命令（コンテンツ５一つ前進）
２７．ＰＣ１上の操作命令（コンテンツ３，４，５同時に一つ後進）
２８．ＰＣ１上の操作命令（コンテンツ３，４，５同時に一つ前進）
２９．ＰＣ１によるプレゼンテーション開始命令
３０．ＰＣ１によるプレゼンテーションリセット命令
３１．プレゼンテーション自動運転命令
３２．プレゼンテーション自動繰返命令
３３．コンテンツ３を表示する独立した表示装置
３４．コンテンツ４を表示する独立した表示装置
３５．コンテンツ５を表示する独立した表示装置
３６．表示装置３３，３４、３５用コンテンツファイルを持つコンピュータ
【図１】
2005108163.tif 000003
【図２】
2005108163.tif 000004
【図３】
2005108163.tif 000005
【図４】
2005108163.tif 000006